(57)【要約】【課題】ノズル支持アームに複数設けられたノズルの全体の投影面積を小さくすること。【解決手段】液処理装置は、基板（Ｗ）を保持する基板保持部と、基板保持部に保持された基板に流体を供給する複数のノズル（８２ａ，８２ａ’）と、複数のノズルを支持するノズル支持アーム（８２）と、ノズル支持アームを当該ノズル支持アームの長手方向軸線周りに回転させる回転機構（８６Ａ）と、を備え、複数のノズルの吐出口（８２ａ１，８２ａ１’）は、ノズル支持アーム長手方向軸線周りの異なる周方向位置に配置され、ノズル支持アームの回転位相に依存して前記複数のノズルうちのいずれか一つの吐出口が基板保持部により保持された基板の方を向くように設けられている。【選択図】図１１
2013004623.tif 000002
【特許請求の範囲】
【請求項１】
基板を保持する基板保持部と、
前記基板保持部に保持された基板に流体を供給する複数のノズルと、
前記複数のノズルを支持するノズル支持アームと、
前記ノズル支持アームを、前記ノズル支持アームの長手方向軸線周りに回転させる回転機構と、
を備え、
前記複数のノズルの吐出口は、前記長手方向軸線周りの異なる周方向位置に配置され、前記ノズル支持アームの回転位相に依存して前記複数のノズルうちのいずれか一つの吐出口が前記基板保持部により保持された基板の方を向くように設けられている
ことを特徴とする液処理装置。
【請求項２】
前記複数のノズルの吐出口は、前記長手方向軸線に関して、同じ軸線方向位置に設けられていることを特徴とする請求項１に記載の液処理装置。
【請求項３】
少なくとも第１のノズル及び第２のノズルを支持するノズル支持アームを有する液処理装置を用いて基板を液処理する液処理方法であって、
前記第１のノズルを基板に向けた状態で前記第１のノズルから第１の処理液を基板に供給する工程と、
前記ノズル支持アームを回転させて前記第２のノズルを基板に向け、この状態で前記第２のノズルから第２の処理液を基板に供給する工程と、
を備えたことを特徴とする方法。
【請求項４】
前記ノズル支持アームの回転は、前記ノズル支持アームを移動させずに行うことを特徴とする請求項３に記載の液処理方法。
【発明の詳細な説明】
【技術分野】
【０００１】
本発明は、基板に処理液を供給することにより基板の洗浄処理やエッチング処理、メッキ処理、現像処理、塗布処理等の液処理を行う液処理装置および液処理方法に関する。
【背景技術】
【０００２】
従来から、半導体ウエハ等の基板（以下、ウエハともいう）を水平状態に保持した状態で回転させながら当該基板の表面や裏面に処理液を供給することにより基板の洗浄処理やエッチング処理、メッキ処理、現像処理、塗布処理等の液処理を行う液処理装置として、様々な種類のものが知られている（例えば、特許文献１等参照）。特許文献１には、基板をスピンチャックにより水平に保持して回転させ、スピンチャックにより保持されて回転する基板の表面に処理液を供給するような、基板を１枚ずつ処理する枚葉式の液処理装置が開示されている。また、このような枚葉式の液処理装置において、処理室の上方にＦＦＵ（ファンフィルタユニット）を設け、このＦＦＵからＮ２ガス（窒素ガス）やクリーンエア等のガスをダウンフローで処理室内に送るような技術が知られている。
【０００３】
処理室の上方にＦＦＵが設けられた液処理装置の構成について図１４および図１５を用いて説明する。図１４は、従来の液処理装置の概略的な構成を示す側面図であり、図１５は、図１４に示す従来の液処理装置の上面図である。従来の液処理装置２００は、ウエハＷが収容され、この収容されたウエハＷの液処理が行われる処理室（チャンバー）２１０を備えている。処理室２１０内には、ウエハＷを保持して回転させるための保持部２２０が設けられており、この保持部２２０の周囲にはカップ２３０が配設されている。また、従来の液処理装置２００では、保持部２２０に保持されたウエハＷに対してカップ２３０の上方から処理液を供給するための複数のノズル２４０およびこれらの複数のノズル２４０を支持する１つのアーム２４１が処理室２１０内に設けられている。また、アーム２４１には略鉛直方向に延びるアーム支持部２４２が設けられており、このアーム支持部２４２によりアーム２４１が支持されている。そして、アーム支持部２４２は図示しない駆動機構により正逆両方向に回転駆動させられるようになっている。このことにより、アーム２４１はアーム支持部２４２を中心として正逆両方向に回転可能となり、このアーム２４１は、保持部２２０により保持されたウエハＷに処理液を供給する進出位置（図１５の実線参照）とカップ２３０から退避した退避位置（図１５の二点鎖線参照）との間でアーム支持部２４２を中心として回転移動を行うようになる（図１５の矢印参照）。なお、１つの液処理装置内に上述したようなアームが複数例えば２本設けられるとともに各アームにそれぞれ複数のノズルが支持されている場合もある。
【０００４】
また、図１４に示すように、処理室２１０の上方にはＦＦＵ（ファンフィルタユニット）２５０が設けられており、このＦＦＵ２５０からＮ２ガス（窒素ガス）やクリーンエア等のガスが常にダウンフローで処理室２１０内に送られるようになっている。また、処理室２１０の底部には排気部２６０が設けられており、この排気部２６０により処理室２１０内の雰囲気の排気が行われるようになっている。このように、ＦＦＵ２５０から処理室２１０内にクリーンエア等のガスがダウンフローで送られ、このガスが排気部２６０により排気されることにより、処理室２１０内の雰囲気の置換が行われるようになっている。
【０００５】
１本のアーム２４１に複数のノズル２４０が設けられている場合には、アーム先端部が図１５において破線２４３で示すように大型化し、上方投影面積が大きくなる。投影面積が大きければ大きいほど、前述したＦＦＵからのダウンフローへの影響は大きくなる。
【先行技術文献】
【特許文献】
【０００６】
【特許文献１】特開２００９−９４５２５号公報
【発明の概要】
【発明が解決しようとする課題】
【０００７】
本発明は、複数のノズルを１つのノズル支持アームに設けた場合でも、ノズルの全体の投影面積を小さくすることができる構成を提供する。
【課題を解決するための手段】
【０００８】
本発明は、基板を保持する基板保持部と、前記基板保持部に保持された基板に流体を供給する複数のノズルと、前記複数のノズルを支持するノズル支持アームと、前記ノズル支持アームを、前記ノズル支持アームの長手方向軸線周りに回転させる回転機構と、を備え、前記複数のノズルの吐出口は、前記長手方向軸線周りの異なる周方向位置に配置され、前記ノズル支持アームの回転位相に依存して前記複数のノズルうちのいずれか一つの吐出口が前記基板保持部により保持された基板の方を向くように設けられている液処理装置を提供する。
【０００９】
これによれば、ノズル全体の投影面積を小さくすることができる。
【００１０】
好ましくは、前記複数のノズルの吐出口は、前記長手方向軸線に関して、同じ軸線方向位置に設けられている。
【００１１】
これによれば、ノズル支持アームの駆動機構の教示の手間を省くことができる。
【００１２】
また、本発明は、少なくとも第１のノズル及び第２のノズルを支持するノズル支持アームを有する液処理装置を用いて基板を液処理する液処理方法であって、前記第１のノズルを基板に向けた状態で前記第１のノズルから第１の処理液を基板に供給する工程と、前記ノズル支持アームを回転させて前記第２のノズルを基板に向け、この状態で前記第２のノズルから第２の処理液を基板に供給する工程と、を備えた方法を提供する。
【００１３】
好ましくは、前記ノズル支持アームの回転は、前記ノズル支持アームを移動させずに行われる。
【発明の効果】
【００１４】
本発明によれば、複数のノズルを１つのノズル支持アームに設けた場合でも、ノズルの全体の投影面積を小さくすることができる。
【図面の簡単な説明】
【００１５】
【図１】本発明の実施の形態による液処理装置を含む液処理システムを上方から見た上面図である。
【図２】本発明の実施の形態による液処理装置の概略的な構成を示す上面図である。
【図３】図２に示す液処理装置の側面図である。
【図４】図２に示す液処理装置の構成の詳細を示す縦断面図であって、カップ外周筒が下方位置にあるときの状態を示す図である。
【図５】図２に示す液処理装置の構成の詳細を示す縦断面図であって、カップ外周筒が上方位置にあるときの状態を示す図である。
【図６】図４等に示す液処理装置におけるカップ外周筒の構成を示す斜視図である。
【図７】図２等に示す液処理装置における処理室および６つのノズル支持アームを示す斜視図である。
【図８】図７に示すノズル支持アームの拡大斜視図である。
【図９】図７等に示す各ノズル支持アームを、これらのノズル支持アームの後方から処理室に向かって見たときの構成を示す図である。
【図１０】図７等に示すノズル支持アームの構成の詳細を示す側断面図である。
【図１１】ノズル支持アームの別の構成例を示す側断面図である。
【図１２】図１１に示すノズル支持アームの軸線方向後方から渦巻き配管を見た背面図である。
【図１３】図１１に示すノズル支持アームを旋回可能として液処理装置に組み込んだ例を示す概略側断面図である。
【図１４】従来の液処理装置の概略的な構成を示す側面図である。
【図１５】図１４に示す従来の液処理装置の上面図である。
【発明を実施するための形態】
【００１６】
以下、図面を参照して実施の形態について説明する。まず、図１を用いて、液処理装置を含む液処理システムについて説明する。図１に示すように、液処理システムは、外部から被処理基板としての半導体ウエハ等の基板Ｗ（以下、ウエハＷともいう）を収容したキャリアを載置するための載置台１０１と、キャリアに収容されたウエハＷを取り出すための搬送アーム１０２と、搬送アーム１０２によって取り出されたウエハＷを載置するための棚ユニット１０３と、棚ユニット１０３に載置されたウエハＷを受け取り、当該ウエハＷを液処理装置１０内に搬送する搬送アーム１０４と、を備えている。図１に示すように、液処理システムには、複数（図１に示す態様では４個）の液処理装置１０が設けられている。
【００１７】
次に、液処理装置１０の概略的な構成について図２および図３を用いて説明する。
【００１８】
図２および図３に示すように、液処理装置１０は、ウエハＷが収容され、この収容されたウエハＷの液処理が行われる処理室（チャンバー）２０を備えている。図３に示すように、処理室２０内には、ウエハＷを水平状態で保持して回転させるための保持部２１が設けられており、この保持部２１の周囲にはリング状の回転カップ４０が配設されている。また、図２および図３に示すように、処理室２０内において回転カップ４０の周囲には円筒状のカップ外周筒５０が配設されている。後述するように、このカップ外周筒５０はウエハＷの処理状況に応じて昇降可能となっている。これらの保持部２１、回転カップ４０およびカップ外周筒５０の構成の詳細については後述する。
【００１９】
また、液処理装置１０には、保持部２１に保持されたウエハＷに対してウエハＷの上方から処理液やＮ２ガス等の流体を供給するためのノズル８２ａおよびこのノズル８２ａを支持するノズル支持アーム８２が設けられている。図２に示すように、１つの液処理装置１０には複数（具体的には例えば６つ）のノズル支持アーム８２が設けられており、各ノズル支持アーム８２の先端にノズル８２ａが設けられている。また、図３に示すように、各ノズル支持アーム８２にはアーム支持部８４が設けられており、各アーム支持部８４は後述するアーム駆動機構８５によって図３における左右方向に駆動されるようになっている。このことにより、各ノズル支持アーム８２は、ノズル８２ａが処理室２０内に進出した進出位置と、ノズル８２ａが処理室２０から退避した退避位置との間で水平方向に直線運動を行うようになっている（図２および図３における各ノズル支持アーム８２に設けられた矢印参照）。また、図３に示すように、各ノズル支持アーム８２には表面処理流体供給管８２ｍが設けられており、各表面処理流体供給管８２ｍは表面処理流体供給部８９に接続されている。そして、表面処理流体供給部８９から各表面処理流体供給管８２ｍを介して各ノズル支持アーム８２のノズル８２ａに処理液やＮ２ガス等の流体が供給されるようになっている。
【００２０】
図２および図３に示すように、液処理装置１０において、アーム待機部８０が処理室２０に隣接して設けられている。このアーム待機部８０において、処理室２０から退避したノズル支持アーム８２が待機するようになっている。また、アーム待機部８０と処理室２０との間には鉛直方向に延びる壁９０が設けられている。この壁９０は、各ノズル支持アーム８２が通過可能な開口８８ｐが設けられたアーム洗浄部８８を有している。このアーム洗浄部８８により各ノズル支持アーム８２の洗浄が行われるようになっている。アーム洗浄部８８の構成の詳細については後述する。
【００２１】
また、図３に示すように、処理室２０の上方にはＦＦＵ（ファンフィルタユニット）７０が設けられており、このＦＦＵ７０からＮ２ガス（窒素ガス）やクリーンエア等のガスがダウンフローで処理室２０内に送られるようになっている。また、図２および図３に示すように、処理室２０の底部におけるカップ外周筒５０の内側には排気部５４が設けられており、この排気部５４により処理室２０内の雰囲気の排気が行われるようになっている。このように、ＦＦＵ７０から処理室２０内にクリーンエア等のガスがダウンフローで送られ、このガスが排気部５４により排気されることにより、処理室２０内の雰囲気の置換が行われるようになっている。
【００２２】
また、図２および図３に示すように、処理室２０の底部におけるカップ外周筒５０の外側には排気部５６が設けられており、この排気部５６により処理室２０内の雰囲気の排気が行われるようになっている。この排気部５６により、処理室２０内におけるカップ外周筒５０の外側の雰囲気の排気を行うことができるようになっている。具体的には、排気部５６により、アーム待機部８０内の雰囲気がカップ外周筒５０内に入り込むことが抑止される。また、この排気部５６により、カップ外周筒５０内の雰囲気がアーム待機部８０に出てしまうことが抑止される。
【００２３】
また、図２および図３に示すように、アーム待機部８０の底部には排気部５８が設けられており、この排気部５８によりアーム待機部８０内の雰囲気の排気が行われるようになっている。具体的には、各ノズル支持アーム８２を駆動するためのアーム駆動機構８５（後述）から発生するパーティクルを排気部５８により吸引して除去することができるようになっている。
【００２４】
また、図２に示すように、液処理装置１０の処理室２０およびアーム待機部８０の出入口にはそれぞれメンテナンス用のシャッター６０、６２が設けられている。処理室２０およびアーム待機部８０にそれぞれメンテナンス用のシャッター６０、６２が設けられていることにより、これらの処理室２０内やアーム待機部８０内の機器を個別にメンテナンスすることができる。また、処理室２０内でウエハＷを処理している最中でも、シャッター６２を開くことによりアーム待機部８０内の機器をメンテナンスすることができるようになる。
【００２５】
また、図２に示すように、液処理装置１０の側壁には、搬送アーム１０４により処理室２０内へウエハＷを搬入したり処理室２０からウエハＷを搬出したりするための開口９４ａが設けられており、この開口９４ａには、当該開口９４ａを開閉するためのシャッター９４が設けられている。
【００２６】
なお、図２に示す液処理装置１０において、処理室２０内におけるカップ外周筒５０の内部の領域はクリーンルームに対して微陽圧となっており、一方、処理室２０内におけるカップ外周筒５０の外側の領域はクリーンルームに対して微陰圧となっている。このため、処理室２０内において、カップ外周筒５０の内部の領域の気圧はカップ外周筒５０の外側の領域の気圧よりも高くなっている。
【００２７】
次に、図２および図３に示すような液処理装置１０の構成の詳細について図４および図５を用いて説明する。
【００２８】
図４および図５に示すように、保持部２１は、ウエハＷを保持するための円板形状の保持プレート２６と、保持プレート２６の上方に設けられた円板形状のリフトピンプレート２２とを備えている。リフトピンプレート２２の上面には、ウエハＷを下方から支持するためのリフトピン２３が周方向に等間隔で３つ設けられている。なお、図４および図５では２つのリフトピン２３のみを表示している。また、リフトピンプレート２２にはピストン機構２４が設けられており、このピストン機構２４によりリフトピンプレート２２が昇降するようになっている。より具体的には、搬送アーム１０４（図１参照）によりウエハＷをリフトピン２３上に載置したりリフトピン２３上からウエハＷを取り出したりするときには、ピストン機構２４によりリフトピンプレート２２が図４等に示すような位置から上方に移動させられ、このリフトピンプレート２２は回転カップ４０よりも上方に位置するようになる。一方、処理室２０内でウエハＷの液処理を行う際には、ピストン機構２４によりリフトピンプレート２２が図４等に示すような下方位置に移動させられ、ウエハＷの周囲に回転カップ４０が位置するようになる。
【００２９】
保持プレート２６には、ウエハＷを側方から支持するための保持部材２５が周方向に等間隔で３つ設けられている。なお、図４および図５では２つの保持部材２５のみを表示している。各保持部材２５は、リフトピンプレート２２が上方位置から図４および図５に示すような下方位置に移動したときにこのリフトピン２３上のウエハＷを保持し、このウエハＷをリフトピン２３からわずかに離間させるようになっている。各保持部材２５はウエハＷを受け取る受け取り位置およびウエハＷを保持する保持位置に移動可能な構造を有しており、リフトピンプレート２２の昇降と連動して動くようになっている。すなわちリフトピンプレート２２が情報位置に移動したときには各保持部材２５は受け取り位置に移動し、下方位置に移動したときは保持位置に移動するように構成されている。
【００３０】
また、リフトピンプレート２２および保持プレート２６の中心部分にはそれぞれ貫通穴が形成されており、これらの貫通穴を通るよう処理液供給管２８が設けられている。この処理液供給管２８は、保持プレート２６の各保持部材２５により保持されたウエハＷの裏面に薬液や純水等の処理液を供給するようになっている。また、処理液供給管２８はリフトピンプレート２２と連動して昇降するようになっている。処理液供給管２８の上端には、リフトピンプレート２２の貫通穴を塞ぐよう設けられたヘッド部分２８ａが形成されている。また、図４等に示すように、処理液供給管２８には処理液供給部２９が接続されており、この処理液供給部２９により処理液供給管２８に処理液が供給されるようになっている。
【００３１】
図４および図５に示すように、保持部２１の周囲にはリング状の回転カップ４０が配設されている。この回転カップ４０は保持プレート２６に取り付けられており、保持プレート２６と一体的に回転するようになっている。より詳細には、回転カップ４０は、保持プレート２６の各保持部材２５により支持されたウエハＷを側方から囲うよう設けられており、ウエハＷの液処理を行う際にこのウエハＷから側方に飛散した処理液を受けるようになっている。
【００３２】
また、回転カップ４０の周囲には、ドレインカップ４２、第１案内カップ４３、第２案内カップ４４および第３案内カップ４５が上方から順に設けられている。ドレインカップ４２および各案内カップ４３、４４、４５はそれぞれリング状に形成されている。ここで、ドレインカップ４２は処理室２０において固定されている。一方、各案内カップ４３、４４、４５にはそれぞれ昇降シリンダ（図示せず）が連結されており、これらの案内カップ４３、４４、４５は対応する昇降シリンダにより互いに独立して昇降自在となっている。
【００３３】
図４および図５に示すように、ドレインカップ４２や各案内カップ４３、４４、４５の下方には、第１処理液回収用タンク４６ａ、第２処理液回収用タンク４６ｂ、第３処理液回収用タンク４６ｃおよび第４処理液回収用タンク４６ｄがそれぞれ設けられている。そして、各案内カップ４３、４４、４５の上下方向における位置により、ウエハＷの液処理を行う際にこのウエハＷから側方に飛散した処理液が、この処理液の種類に基づいて、４つの処理液回収用タンク４６ａ、４６ｂ、４６ｃ、４６ｄのうちいずれか一つの処理液回収用タンクに選択的に送られるようになっている。具体的には、全ての案内カップ４３、４４、４５が全て上方位置にあるときには（図４および図５に示すような状態）、ウエハＷから側方に飛散した処理液は第４処理液回収用タンク４６ｄに送られるようになっている。一方、第３案内カップ４５のみが下方位置にあるときには、ウエハＷから側方に飛散した処理液は第３処理液回収用タンク４６ｃに送られるようになっている。また、第２案内カップ４４および第３案内カップ４５が下方位置にあるときには、ウエハＷから側方に飛散した処理液は第２処理液回収用タンク４６ｂに送られるようになっている。また、全ての案内カップ４３、４４、４５が下方位置にあるときには、ウエハＷから側方に飛散した処理液は第１処理液回収用タンク４６ａに送られるようになっている。
【００３４】
また、図４および図５に示すように、第４処理液回収用タンク４６ｄの内側には排気部４８が設けられている。そして、各案内カップ４３、４４、４５の上下方向における位置が所定の位置となることにより、ウエハＷの周囲の雰囲気が、排気部４８により排気されるようになっている。
【００３５】
また、本実施の形態の液処理装置１０においては、処理室２０内においてドレインカップ４２や各案内カップ４３、４４、４５の周囲にカップ外周筒５０が設けられている。このカップ外周筒５０は、図４に示すような下方位置と図５に示すような上方位置との間で昇降可能となっている。また、図２および図３に示すように、カップ外周筒５０には、ノズル支持アーム８２が通過可能な開口５０ｍが設けられている。カップ外周筒５０は、図５に示すような上方位置にあるときに、カップ外周筒５０内の領域を外部に対して隔離するようになっている。
【００３６】
このようなカップ外周筒５０の構成の詳細について図６を用いて説明する。図６は、カップ外周筒５０の構成を示す斜視図である。図６に示すように、カップ外周筒５０の側面には、ノズル支持アーム８２が通過可能な開口５０ｍが、ノズル支持アーム８２の本数に応じて設けられている（例えばノズル支持アーム８２が６本の場合、６つの開口５０ｍが設けられる）。また、カップ外周筒５０の上部には、このカップ外周筒５０を支持するための支持部材５０ａが連結されており、支持部材５０ａには当該支持部材５０ａを昇降させる駆動機構５０ｂが設けられている。そして、駆動機構５０ｂにより支持部材５０ａを昇降させることにより、この支持部材５０ａに支持されるカップ外周筒５０も昇降するようになっている。
【００３７】
また、図４および図５に示すように、ＦＦＵ７０にはガイド部材５１が取り付けられている。このガイド部材５１は、図５に示すようにカップ外周筒５０が上方位置にあるときに、このカップ外周筒５０から内側にわずかに距離を隔てて位置するよう配置されている。また、本実施の形態の液処理装置１０においては、図５に示すようにカップ外周筒５０が上方位置にあるときには、カップ外周筒５０内の気圧はカップ外周筒５０の外側の気圧よりも高くなるようになっている。このため、カップ外周筒５０が上方位置にあるときには、ＦＦＵ７０により生じる処理室２０内のダウンフローのガスが、ガイド部材５１によりカップ外周筒５０の上端近傍において当該カップ外周筒５０の内側から外側に案内されるようになっている。
【００３８】
また、図４および図５に示すように、処理室２０内には、カップ外周筒５０を洗浄するための洗浄部５２が設けられている。この洗浄部５２は、純水等の洗浄液を貯留するための貯留部分５２ａを有しており、図４に示すようにカップ外周筒５０が下方位置にあるときにこのカップ外周筒５０が貯留部分５２ａに貯留された洗浄液に浸されるようになっている。洗浄部５２は、貯留部分５２ａに貯留された洗浄液にカップ外周筒５０が浸されることにより、このカップ外周筒５０の洗浄を行うようになっている。
【００３９】
図４に示すように、カップ外周筒５０が下方位置にあるときにはこのカップ外周筒５０の大部分が貯留部分５２ａに貯留された洗浄液に浸されるようになる。また、図５に示すように、カップ外周筒５０が上方位置にあるときにもこのカップ外周筒５０の下部が貯留部分５２ａに貯留された洗浄液に浸されるようになる。このため、カップ外周筒５０が上方位置にあるときには、貯留部分５２ａに貯留された洗浄液とカップ外周筒５０の下部との間で水シールを行うとともに、カップ外周筒５０の上部とガイド部材５１との間が狭くなるので、カップ外周筒５０内の領域を外部から隔離することができるようになる。
【００４０】
また、図４および図５に示すように、処理室２０内において、洗浄部５２の内側には処理室２０内の雰囲気の排気を行うための排気部５４が設けられており、また、洗浄部５２の外側には処理室２０内の雰囲気の排気を行うための排気部５６が設けられている。このような排気部５４および排気部５６が設けられていることにより、カップ外周筒５０が図４に示すような下方位置にあるときには、これらの排気部５４および排気部５６により処理室２０内全体の雰囲気の排気を行うことができる。一方、カップ外周筒５０が図５に示すような上方位置にあるときには、カップ外周筒５０内の領域が外部から隔離されるので、排気部５４によりカップ外周筒５０の内部の雰囲気の排気を行うことができ、また、排気部５６によりカップ外周筒５０の外側の雰囲気の排気を行うことができる。
【００４１】
前述のように、本実施の形態においては、１つの液処理装置１０に複数（具体的には例えば６つ）のノズル支持アーム８２が設けられており、各ノズル支持アーム８２の先端にノズル８２ａが設けられている。具体的には、各ノズル８２ａは、それぞれ、第１の薬液（具体的には、例えば酸性の薬液）、第２の薬液（具体的には、例えばアルカリ性の薬液）、純水、Ｎ２ガス、ＩＰＡ（イソプロピルアルコール）、純水のミストをウエハＷの上面に供給するようになっている。
【００４２】
以下にノズル支持アーム８２の構成について図７乃至図１０を用いて詳述する。ここで、図７は、図２等に示す液処理装置１０における処理室２０および６つのノズル支持アーム８２ｐ〜８２ｕを示す斜視図であり、図８は、図７に示す各ノズル支持アーム８２ｐ〜８２ｕの拡大斜視図である。また、図９は、図７等に示す各ノズル支持アーム８２ｐ〜８２ｕを、これらのノズル支持アーム８２ｐ〜８２ｕの後方から処理室２０に向かって見たときの構成を示す図であり、図１０は、図７等に示す各ノズル支持アーム８２ｐ〜８２ｕの構成の詳細を示す側断面図である。
【００４３】
図７に示すように、６つのノズル支持アーム８２は、例えば純水供給用アーム８２ｐ、第１の薬液供給用アーム８２ｑ、Ｎ２ガス供給用アーム８２ｒ、第２の薬液供給用アーム８２ｓ、純水のミスト供給用アーム８２ｔおよびＩＰＡ供給用アーム８２ｕから構成されている。前述のように、これらのアーム８２ｐ〜８２ｕの先端にはノズル８２ａが設けられている。このようにして、純水供給用アーム８２ｐの先端に設けられたノズル８２ａからは純水がウエハＷの上面に供給され、第１の薬液供給用アーム８２ｑの先端に設けられたノズル８２ａからは第１の薬液（具体的には、例えば酸性の薬液）がウエハＷの上面に供給され、Ｎ２ガス供給用アーム８２ｒの先端に設けられたノズル８２ａからはＮ２ガスがウエハの上面に供給されるようになっている。また、第２の薬液供給用アーム８２ｓの先端に設けられたノズル８２ａからは第２の薬液（具体的には、例えばアルカリ性の薬液）がウエハＷの上面に供給され、純水のミスト供給用アーム８２ｔの先端に設けられたノズル８２ａからは純水のミストがウエハＷの上面に供給され、ＩＰＡ供給用アーム８２ｕの先端に設けられたノズル８２ａからはＩＰＡがウエハＷの上面に供給されるようになっている。
【００４４】
図８および図１０に示すように、各ノズル支持アーム８２には、当該ノズル支持アーム８２を直進運動させるためのアーム駆動機構８５が設けられている。アーム駆動機構８５は、ベース部材８５ｄに取り付けられ正逆両方向に回転するモータ８５ａと、モータ８５ａに対向するようベース部材８５ｄに取り付けられたプーリ８５ｂと、モータ８５ａおよびプーリ８５ｂに巻き掛けられた循環ベルト８５ｃと、循環ベルト８５ｃに取り付けられたベルト取付部材８５ｅとを有している。ここで、ベルト取付部材８５ｅは、ノズル支持アーム８２を支持するアーム支持部８４の下部に取り付けられており、ベルト取付部材８５ｅおよびアーム支持部８４は一体的に移動するようになっている。そして、このようなアーム駆動機構８５において、モータ８５ａが回転することにより循環ベルト８５ｃが図１０における右方向または左方向に移動し、この循環ベルト８５ｃに取り付けられたベルト取付部材８５ｅが図１０における右方向または左方向に移動することにより、アーム支持部８４が図１０における左右方向に直進運動を行うようになる。このようにして、アーム支持部８４に支持されるノズル支持アーム８２も図１０における左右方向に直進運動を行う。
【００４５】
液処理装置１０においては、アーム駆動機構８５が処理室２０の外部に設けられていることにより、このアーム駆動機構８５から発生するゴミ等が処理室２０内に入ってしまうことを抑制することができる。また、処理室２０内の雰囲気がアーム駆動機構８５に到達してしまうことを抑制することができる。
【００４６】
また、図９に示すように、上述した６つのアーム８２ｐ〜８２ｕのうち、純水供給用アーム８２ｐ、Ｎ２ガス供給用アーム８２ｒおよび純水のミスト供給用アーム８２ｔは同じ高さレベルに設置されている。より具体的には、図９において、これらのアーム８２ｐ、８２ｒ、８２ｔは、図９における二点鎖線Ａで囲まれる領域の高さレベルに設置されている。一方、上述した６つのアーム８２ｐ〜８２ｕのうち、第１の薬液供給用アーム８２ｑ、第２の薬液供給用アーム８２ｓおよびＩＰＡ供給用アーム８２ｕも同じ高さレベルに設置されている。より具体的には、図９において、これらのアーム８２ｑ、８２ｓ、８２ｕは、図９における二点鎖線Ｂで囲まれる領域の高さレベルに設置されている。そして、図９に示すように、純水供給用アーム８２ｐ、Ｎ２ガス供給用アーム８２ｒおよび純水のミスト供給用アーム８２ｔは、それぞれ、第１の薬液供給用アーム８２ｑ、第２の薬液供給用アーム８２ｓおよびＩＰＡ供給用アーム８２ｕよりも高い位置に設置されている。
【００４７】
また、高さレベルが互いに異なる複数のアーム８２ｐ〜８２ｕが同時に処理室２０内に進出したときにアーム同士が衝突または干渉しないようになっている。
【００４８】
図１０に示すように、各アーム８２ｐ〜８２ｕは二重配管構造となっている。より詳細には、各アーム８２ｐ〜８２ｕは内部配管８２ｂおよび外部配管８２ｃから構成されている。内部配管８２ｂはノズル８２ａに連通しており、この内部配管８２ｂからノズル８２ａに流体が送られるようになっている。内部配管８２ｂは例えばフッ素系樹脂から構成されている。また、内部配管８２ｂは外部配管８２ｃに覆われるようになっており、この外部配管８２ｃは例えばステンレス鋼パイプにフッ素系樹脂をコーティングしたものからなる。
【００４９】
また、図８および図１０等に示すように、各アーム８２ｐ〜８２ｕの後端側におけるこれらのアーム８２ｐ〜８２ｕの外側には、各内部配管８２ｂに連通する渦巻き形状配管８３（８３ｐ〜８３ｕ）がそれぞれ設けられている。各渦巻き形状配管８３ｐ〜８３ｕは可撓性材料から形成されている。具体的には、各渦巻き形状配管８３ｐ〜８３ｕは例えばフッ素系樹脂等のチューブが渦巻き形状に曲げられたものから形成されている。図７、図８および図１０に示すように、各渦巻き形状配管８３ｐ〜８３ｕは、対応するアーム８２ｐ〜８２ｕが退避位置にあるときに、これらのアーム８２ｐ〜８２ｕの延びる方向に直交する平面（すなわち、鉛直方向に延びる平面）上で渦巻き形状となるよう構成されている。そして、各渦巻き形状配管８３ｐ〜８３ｕに薬液等の流体が送られることにより、各アーム８２ｐ〜８２ｕの内部に設けられた内部配管８２ｂを経てノズル８２ａから流体が下方に噴射されるようになっている。また、各渦巻き形状配管８３ｐ〜８３ｕは可撓性材料から形成されているため、対応するアーム８２ｐ〜８２ｕが処理室２０内に進出した場合には、渦巻き形状配管８３ｐ〜８３ｕは図８に示すような渦巻き形状から変形して円錐螺旋形状（先端が徐々に細くなるような螺旋形状）となる。
【００５０】
また、各アーム８２ｐ〜８２ｕは、当該アーム８２ｐ〜８２ｕの移動方向に沿った長手方向軸を中心として回転可能となっている。具体的には、図８に示すように、各アーム８２ｐ〜８２ｕには回転機構８６が設けられており、この回転機構８６により各アーム８２ｐ〜８２ｕは図８における矢印方向に回転するようになっている。各アーム８２ｐ〜８２ｕを回転させることにより、ノズル８２ａの向きを図１０に示すような下向きから他の方向に変えることができるようになる。また、各渦巻き形状配管８３ｐ〜８３ｕは渦巻き形状となっているとともに可撓性材料から形成されているため、回転機構８６により各アーム８２ｐ〜８２ｕを回転させた場合でも、対応する渦巻き形状配管８３ｐ〜８３ｕはアーム８２ｐ〜８２ｕの回転に合わせてスムーズに変形するようになり、アーム８２ｐ〜８２ｕの回転が各渦巻き形状配管８３ｐ〜８３ｕにより妨げられることはない。
【００５１】
回転機構８６は、保持部２１に保持されたウエハＷに対してノズル８２ａにより流体を供給する際に、このノズル８２ａを支持するアーム８２ｐ〜８２ｕを選択的に長手方向軸を中心として回転させるようになっている。具体的には、保持部２１に保持されたウエハＷの周縁部にノズル８２ａが近づくと、このノズル８２ａの向きは下向きから斜めに傾斜するようアーム８２ｐ〜８２ｕが回転するようになっている。このことにより、保持部２１に保持されたウエハＷの周縁部において、ノズル８２ａから斜め下方に流体が噴射されることによって、ノズル８２ａからウエハＷに供給された流体、具体的には薬液等の液体について、ウエハＷの周縁部上での液ハネを抑制することができるようになる。このように、回転機構８６は、ノズル８２ａがウエハＷの中心に位置する場合とノズル８２ａがウエハＷの周縁部に位置する場合とで、ノズル８２ａの向きを変えることができるようになっている。
【００５２】
また、図７および図１０に示すように、各アーム８２ｐ〜８２ｕには、これらのアーム８２ｐ〜８２ｕの洗浄を行うためのアーム洗浄部８８がアーム８２ｐ〜８２ｕ毎に位置固定で設けられている。各アーム洗浄部８８は、それぞれ対応するアーム８２ｐ〜８２ｕが移動する際に当該アーム８２ｐ〜８２ｕの洗浄を行うようになっている。このような各アーム洗浄部８８による各アーム８２ｐ〜８２ｕの洗浄のタイミングは自由に設定できるようになっており、具体的には、各アーム８２ｐ〜８２ｕの洗浄は例えば処理毎に、または一日一回、あるいは月に一回行われるようになっている。
【００５３】
アーム洗浄部８８の構成の詳細について図１０を用いて説明する。図１０に示すように、アーム洗浄部８８には、ノズル支持アーム８２（８２ｐ〜８２ｕ）が通過する貫通穴が水平方向（図１０における左右方向）に延びるよう設けられている。この貫通穴の断面は、ノズル支持アーム８２の断面よりもわずかに大きくなっている。また、この貫通穴には、洗浄液が収容される収容部分８８ａが設けられている。また、収容部分８８ａには洗浄液供給管８８ｂが接続されており、洗浄液供給管８８ｂから収容部分８８ａに洗浄液が供給されるようになっている。収容部分８８ａに洗浄液が供給されると、この収容部分８８ａ内でノズル支持アーム８２の外周面上に液膜が張られるようになる。そして、アーム洗浄部８８において、収容部分８８ａに収容された洗浄液にノズル支持アーム８２（８２ｐ〜８２ｕ）の一部が接触しながら当該ノズル支持アーム８２が移動することによりノズル支持アーム８２の洗浄が行われるようになっている。
【００５４】
また、アーム洗浄部８８において、ノズル支持アーム８２の移動方向（図１０における左右方向）における収容部分８８ａよりも処理室２０に近い前方位置および収容部分８８ａよりも処理室２０から遠い後方位置にはそれぞれ吸引機構８８ｃ、８８ｄが設けられている。これらの吸引機構８８ｃ、８８ｄは、収容部分８８ａに収容された洗浄液がこの収容部分８８ａから外部に漏れたときに漏れた分の洗浄液を吸引して排液するようになっている。なお、吸引機構は、必ずしもノズル支持アーム８２の移動方向における収容部分８８ａよりも前方位置および後方位置の両方に設ける必要はなく、代わりに、ノズル支持アーム８２の移動方向における収容部分８８ａよりも前方位置または後方位置のうちいずれか一方にのみ吸引機構が設けられるようになっていてもよい。
【００５５】
また、吸引機構８８ｃ、８８ｄは、ノズル支持アーム８２が洗浄された後に、このノズル支持アーム８２に付着した液滴を吸引することにより、ノズル支持アーム８２の乾燥を行うようになっている。
【００５６】
また、アーム洗浄部８８において、ノズル支持アーム８２の移動方向における収容部分８８ａよりも後方位置には、ノズル支持アーム８２の内部配管８２ｂに残留した薬液等の液体を排出するための排液部分８８ｅが設けられている。また、排液部分８８ｅにはドレン管８８ｆが接続されており、排液部分８８ｅに送られた液体はドレン管８８ｆにより排出されるようになっている。そして、ノズル８２ａが排液部分８８ｅの真上に位置するようノズル支持アーム８２が移動して、ノズル支持アーム８２の内部配管８２ｂに残留した薬液等の液体がノズル８２ａから排液部分８８ｅに吐出されるようになっている。このような排液部分８８ｅが設けられていることにより、ウエハＷの液処理が終了した後、ノズル支持アーム８２の内部配管８２ｂに液体が残留してしまった場合でも、このノズル支持アーム８２に設けられたノズル８２ａを用いて次の液処理を行う際に、内部配管８２ｂに残留した液体を予めこの内部配管８２ｂから排出することができるようになる。とりわけ、ウエハＷに高温の薬液等をノズル８２ａから供給するときには、ノズル支持アーム８２の内部配管８２ｂに残留している液体は冷めている場合が多いため、この残留している冷めた液体を排液部分８８ｅにより予め内部配管８２ｂから排出することが望ましい。
【００５７】
なお、排液部分８８ｅは、ノズル支持アーム８２の移動方向における収容部分８８ａよりも後方位置ではなく収容部分８８ａよりも前方位置に設けられていてもよい。この場合でも、ノズル８２ａが排液部分８８ｅの真上に位置するようノズル支持アーム８２が移動し、ノズル８２ａから薬液を吐出することにより、ノズル支持アーム８２の内部配管８２ｂに残留した薬液等の液体がノズル８２ａから排液部分８８ｅに送られるようになる。
【００５８】
図７および図１０に示すように、各アーム８２ｐ〜８２ｕに対応する各アーム洗浄部８８は、処理室２０とアーム待機部８０との間に設けられた壁９０の外側に取り付けられるようになっている。このため、各アーム洗浄部８８はカップ外周筒５０の外側に設けられるようになる。なお、各アーム洗浄部８８は壁９０の外側に取り付けられる代わりに壁９０の内側に取り付けられるようになっていてもよい。この場合には、各アーム洗浄部８８は、回転カップ４０とアーム待機部８０との間の領域に位置するようになる。
【００５９】
アーム洗浄部８８はノズル支持アーム８２の全体（全長）を洗浄するようになっていてもよく、あるいはノズル支持アーム８２の一部分のみを洗浄するようになっていてもよい。また、アーム洗浄部８８はノズル支持アーム８２の全周を洗浄するようになっているが、これに限定されるものではない。
【００６０】
また、図２および図１０に示すように、各アーム８２ｐ〜８２ｕは、アーム待機部８０で待機しているときに、処理室２０とアーム待機部８０との間に設けられた壁９０のアーム洗浄部８８の開口８８ｐを塞ぐようになっている。このことにより、各アーム８２ｐ〜８２ｕは、壁９０のアーム洗浄部８８の開口８８ｐを塞ぐ蓋として機能するようになり、処理室２０内の領域とアーム待機部８０の領域とを隔離することができるようになる。
【００６１】
また、各アーム８２ｐ〜８２ｕは、図５に示すような上方位置にあるカップ外周筒５０の開口５０ｍも塞ぐことができるようになっている。このことにより、カップ外周筒５０内の領域とアーム待機部８０の領域とを隔離することができるようになる。
【００６２】
次に、液処理装置１０の動作について説明する。
【００６３】
まず、保持部２１におけるリフトピンプレート２２および処理液供給管２８を図４に示す位置から上方に移動させることと、処理室２０の開口９４ａに設けられたシャッター９４をこの開口９４ａから退避させることにより開口９４ａを開くことを行う。そして、液処理装置１０の外部からウエハＷが搬送アーム１０４により開口９４ａを介して処理室２０内に搬送され、このウエハＷがリフトピンプレート２２のリフトピン２３上に載置され、その後、搬送アーム１０４は処理室２０から退避する。この際に、カップ外周筒５０は図４に示すような下方位置に位置している。また、各ノズル支持アーム８２は処理室２０から退避した退避位置に位置している。すなわち、各ノズル支持アーム８２はアーム待機部８０で待機している。また、ＦＦＵ７０から処理室２０内にクリーンエア等のガスが常にダウンフローで送られ、このガスが排気部５４により排気されることにより、処理室２０内の雰囲気の置換が行われるようになっている。
【００６４】
次に、リフトピンプレート２２および処理液供給管２８を下方に移動させ、これらのリフトピンプレート２２および処理液供給管２８を図４に示すような下方位置に位置させる。この際に、保持プレート２６に設けられた各保持部材２５が、リフトピン２３上のウエハＷを支持し、このウエハＷをリフトピン２３からわずかに離間させる。
【００６５】
その後に、またはリフトピンプレート２２の下降中に、カップ外周筒５０に設けられた駆動機構５０ｂにより、このカップ外周筒５０を上方に移動させ、カップ外周筒５０を図５に示すような上方位置に位置させる。そして、カップ外周筒５０が上方位置に移動した後、アーム待機部８０で待機している６つのノズル支持アーム８２のうち一または複数のノズル支持アーム８２が壁９０のアーム洗浄部８８の開口８８ｐおよびカップ外周筒５０の開口５０ｍを介して処理室２０内に進出する（図５の二点鎖線参照）。この際に、アーム駆動機構８５によりノズル支持アーム８２は直線運動を行う。
【００６６】
そして、保持部２１における保持プレート２６およびリフトピンプレート２２を回転させる。このことにより、保持プレート２６の各保持部材２５により支持されているウエハＷも回転する。
【００６７】
その後、まず、保持プレート２６の各保持部材２５により支持されているウエハＷに対して酸性の薬液により処理を行い、その後引き続いてリンス処理を行う。具体的には、図５に示すような状態で、アーム待機部８０で待機している６つのノズル支持アーム８２のうち第１の薬液供給用アーム８２ｑおよび純水供給用アーム８２ｐがそれぞれ壁９０のアーム洗浄部８８の開口８８ｐおよびカップ外周筒５０の開口５０ｍを介して処理室２０内に同時に進出する。このとき、第１の薬液供給用アーム８２ｑのノズル８２ａをウエハＷの中心の真上に位置するようにさせ、純水供給用アーム８２ｐのノズル８２ａをウエハの中心の真上のやや手前に位置させるようにする。なお、第１の薬液供給用アーム８２ｑおよび純水供給用アーム８２ｐは互いに高さレベルが異なるようになっているので、第１の薬液供給用アーム８２ｑおよび純水供給用アーム８２ｐを処理室２０内に同時に進出させる際にこれらのアーム８２ｑ、８２ｐが互いに干渉することはない。
【００６８】
そして、ウエハＷが回転した状態で、処理室２０内に進出した第１の薬液供給用アーム８２ｑのウエハＷの中心の真上に位置するノズル８２ａからウエハＷの上面に酸性の薬液を供給する。また、この際に、ウエハＷの下面（裏面）に向かって処理液供給管２８から酸性の薬液を供給してもよい。このようにして、ウエハＷの少なくとも上面に酸性の薬液が供給され、ウエハＷの薬液処理が行われる。ウエハＷに供給された酸性の薬液は、４つの処理液回収用タンク４６ａ、４６ｂ、４６ｃ、４６ｄのうち例えば第１処理液回収用タンク４６ａに送られて回収される。また、上述のような薬液処理が行われる際に、純水供給用アーム８２ｐは、第１の薬液供給用アーム８２ｑのノズル８２ａによる酸性の薬液の吐出位置からわずかに後退した位置に当該純水供給用アーム８２ｐのノズル８２ａが位置するよう、処理室２０内で待機している。
【００６９】
そして、保持プレート２６の各保持部材２５により支持されているウエハＷに対して酸性の薬液が供給された後に中断することなく引き続きこのウエハＷに純水が供給される。具体的には、処理室２０内に進出した第１の薬液供給用アーム８２ｑに設けられたノズル８２ａ（ウエハの中心の真上に位置している）からウエハＷに対して酸性の薬液を供給した後に、第１の薬液供給用アーム８２ｑのノズル８２ａがウエハＷの中心の真上から待避し、これと同時に処理室２０内に進出して待機していた純水供給用アーム８２ｐがわずかに前進して純水供給用アーム８２ｐのノズル８２ａがウエハＷの中心の真上に位置し、純水の供給を開始する。ウエハＷに供給された純水は、４つの処理液回収用タンク４６ａ、４６ｂ、４６ｃ、４６ｄのうち例えば第３処理液回収用タンク４６ｃに送られて回収される。このようにして、カップ外周筒５０内でウエハＷに対して酸性の薬液により処理が行われ、その後引き続いてリンス処理が行われるようになる。この際に、処理室２０内において純水供給用アーム８２ｐと第１の薬液供給用アーム８２ｑは互いに高さレベルが異なっているのでこれらのアーム８２ｐ、８２ｑが互いに干渉することはない。そして、ウエハＷに対する酸性の薬液による処理が終了すると、処理室２０に進出した第１の薬液供給用アーム８２ｑはこの処理室２０から退避してアーム待機部８０で待機するようになる。一方、純水供給用アーム８２ｐは処理室２０内に残ったままとなる。また、リンス処理が行われる間に、第２の薬液供給用アーム８２ｓが壁９０のアーム洗浄部８８の開口８８ｐおよびカップ外周筒５０の開口５０ｍを介して処理室２０内に進出する。より詳細には、上述のようなリンス処理が行われる際に、第２の薬液供給用アーム８２ｓは、純水供給用アーム８２ｐのノズル８２ａによる純水の吐出位置からわずかに後退した位置に当該第２の薬液供給用アーム８２ｓのノズル８２ａが位置するよう、処理室２０内で待機している。
【００７０】
その後、保持プレート２６の各保持部材２５により支持されているウエハＷに対してアルカリ性の薬液により処理を行い、その後引き続いてリンス処理を行う。具体的には、処理室２０内に進出している第２の薬液供給用アーム８２ｓおよび純水供給用アーム８２ｐにより、ウエハＷに対してアルカリ性の薬液による処理およびリンス処理が行われる。この際に、第２の薬液供給用アーム８２ｓおよび純水供給用アーム８２ｐは互いに高さレベルが異なるようになっているので、これらのアーム８２ｓ、８２ｐが互いに干渉することはない。
【００７１】
具体的に説明すると、ウエハＷが回転した状態で、処理室２０内に進出した第２の薬液供給用アーム８２ｓのノズル８２ａからウエハＷの上面にアルカリ性の薬液を供給する。また、この際に、ウエハＷの下面（裏面）に向かって処理液供給管２８からアルカリ性の薬液を供給してもよい。このようにして、ウエハＷの少なくとも上面にアルカリ性の薬液が供給され、ウエハＷの薬液処理が行われる。ウエハＷに供給されたアルカリ性の薬液は、４つの処理液回収用タンク４６ａ、４６ｂ、４６ｃ、４６ｄのうち例えば第２処理液回収用タンク４６ｂに送られて回収される。また、上述のような薬液処理が行われる際に、純水供給用アーム８２ｐは、第２の薬液供給用アーム８２ｓのノズル８２ａによるアルカリ性の薬液の吐出位置からわずかに後退した位置に当該純水供給用アーム８２ｐのノズル８２ａが位置するよう、処理室２０内で待機している。
【００７２】
そして、保持プレート２６の各保持部材２５により支持されているウエハＷに対してアルカリ性の薬液が供給された後に中断することなく引き続きこのウエハＷに純水が供給される。具体的には、処理室２０内に進出した第２の薬液供給用アーム８２ｓに設けられたノズル８２ａからウエハＷに対してアルカリ性の薬液を供給した後に、処理室２０内に進出している純水供給用アーム８２ｐに設けられたノズル８２ａから純水を中断することなく引き続きウエハＷに供給する。ウエハＷに供給された純水は、４つの処理液回収用タンク４６ａ、４６ｂ、４６ｃ、４６ｄのうち例えば第３処理液回収用タンク４６ｃに送られて回収される。このようにして、カップ外周筒５０内でウエハＷに対してアルカリ性の薬液により処理が行われ、その後引き続いてリンス処理が行われるようになる。そして、ウエハＷに対するアルカリ性の薬液による処理およびリンス処理が終了すると、処理室２０に進出した第２の薬液供給用アーム８２ｓおよび純水供給用アーム８２ｐはこの処理室２０から退避してアーム待機部８０で待機するようになる。また、上述のようなリンス処理が行われる間に、ＩＰＡ供給用アーム８２ｕが壁９０のアーム洗浄部８８の開口８８ｐおよびカップ外周筒５０の開口５０ｍを介して処理室２０内に進出する。より詳細には、上述のようなリンス処理が行われる際に、ＩＰＡ供給用アーム８２ｕは、純水供給用アーム８２ｐのノズル８２ａによる純水の吐出位置からわずかに後退した位置に当該ＩＰＡ供給用アーム８２ｕのノズル８２ａが位置するよう、処理室２０内で待機している。
【００７３】
その後、保持プレート２６の各保持部材２５により支持されているウエハＷに対してＩＰＡにより乾燥処理が行われる。具体的には、アーム待機部８０で待機している６つのノズル支持アーム８２のうちＮ２ガス供給用アーム８２ｒが壁９０のアーム洗浄部８８の開口８８ｐおよびカップ外周筒５０の開口５０ｍを介して処理室２０内に進出する。このようにして、処理室２０内にＮ２ガス供給用アーム８２ｒおよびＩＰＡ供給用アーム８２ｕがそれぞれ進出した状態となる。この際に、Ｎ２ガス供給用アーム８２ｒおよびＩＰＡ供給用アーム８２ｕは互いに高さレベルが異なるようになっているので、これらのアーム８２ｒ、８２ｕが互いに干渉することはない。
【００７４】
そして、ウエハＷが回転した状態で、処理室２０内に進出したＩＰＡ供給用アーム８２ｕに設けられたノズル８２ａからウエハＷに対してＩＰＡを供給した後に、このウエハＷにおけるＩＰＡが供給された箇所に対して処理室２０内に進出したＮ２ガス供給用アーム８２ｒに設けられたノズル８２ａからＮ２ガスを供給する。具体的には、処理室２０内において、ＩＰＡ供給用アーム８２ｕに設けられたノズル８２ａによりウエハＷの中心にＩＰＡが供給される。その後、ＩＰＡ供給用アーム８２ｕがウエハＷの中心から周縁部に移動し、ＩＰＡが供給された後のウエハＷ上の領域に対して、Ｎ２ガス供給用アーム８２ｒに設けられたノズル８２ａによりガスが噴射されるウエハＷ上の領域が後を追うように、これらのＩＰＡ供給用アーム８２ｕおよびＮ２ガス供給用アーム８２ｒをウエハＷ上で移動させる。このようにして、ウエハＷの表面において、ＩＰＡが供給された箇所にＮ２ガスがすぐに供給されるようになり、ウエハＷの乾燥処理を適切に行うことができるようになる。なお、ウエハＷに供給されたＩＰＡは、４つの処理液回収用タンク４６ａ、４６ｂ、４６ｃ、４６ｄのうち例えば第４処理液回収用タンク４６ｄに送られて回収される。ウエハＷの乾燥処理が終了すると、処理室２０に進出したＩＰＡ供給用アーム８２ｕおよびＮ２ガス供給用アーム８２ｒはこの処理室２０から退避してアーム待機部８０で待機するようになる。
【００７５】
ウエハの乾燥処理が終了すると、カップ外周筒５０に設けられた駆動機構５０ｂにより、このカップ外周筒５０を下方に移動させ、カップ外周筒５０を図４に示すような下方位置に位置させる。
【００７６】
その後、保持部２１におけるリフトピンプレート２２および処理液供給管２８を図４に示す位置から上方に移動させる。この際に、保持プレート２６の保持部材２５により支持されたウエハＷがリフトピンプレート２２のリフトピン２３上に受け渡される。次に、処理室２０の開口９４ａに設けられたシャッター９４をこの開口９４ａから退避させることにより開口９４ａを開き、液処理装置１０の外部から開口９４ａを介して搬送アーム１０４を処理室２０内に進出させ、この搬送アーム１０４によりリフトピンプレート２２のリフトピン２３上のウエハＷを取り出す。搬送アーム１０４により取り出されたウエハＷは液処理装置１０の外部に搬送される。このようにして、一連のウエハＷの液処理が完了する。
【００７７】
なお、各ノズル支持アーム８２の洗浄は、ノズル支持アーム８２が処理室２０からアーム待機部８０における退避位置に移動する際にアーム洗浄部８８により行ってもよい。また、各ノズル支持アーム８２の洗浄は、ウエハＷに対する各処理後に行ってもよいし、あるいは定期的に行ってもよい。
【００７８】
液処理装置１０においては、アーム洗浄部８８がアーム待機部８０に位置固定で設けられており、このアーム洗浄部８８は、ノズル支持アーム８２が移動する際に当該ノズル支持アーム８２の洗浄を行えるようになっている。このように、アーム洗浄部８８によりノズル支持アーム８２を洗浄することによって、汚れが付着していない状態でノズル支持アーム８２が処理室２０内に進入することができるようになり、ノズル支持アーム８２に付着した汚れにより処理室２０内のウエハＷが汚れてしまうことを防止することができる。さらに、アーム洗浄部８８が処理室２０の外部に設けられることにより、処理室２０内の気流が乱れてしまうことを防止することができる。
【００７９】
また、液処理装置１０においては、アーム洗浄部８８は、洗浄液が収容される収容部分８８ａを有しており、アーム洗浄部８８において、収容部分８８ａに収容された洗浄液にノズル支持アーム８２の一部が接触しながらノズル支持アーム８２が移動することによりノズル支持アーム８２の洗浄が行われるようになっている。この場合には、アーム洗浄部８８を移動させることなく、位置が固定された収容部分８８ａに収容された洗浄液によりノズル支持アーム８２の洗浄を行うことができるので、アームの洗浄を行うための機構をシンプルなものとすることができる。
【００８０】
また、液処理装置１０においては、ノズル支持アーム８２は、ノズル８２ａに流体を送るための内部配管８２ｂを有しており、アーム洗浄部８８において、ノズル支持アーム８２の移動方向における収容部分８８ａよりも後方位置に、ノズル支持アーム８２の内部配管８２ｂに残留した液体を排出するための排液部分８８ｅが設けられている。そして、ノズル８２ａが排液部分８８ｅの真上に位置するようノズル支持アーム８２が移動することにより、ノズル支持アーム８２の内部配管８２ｂから排出された液体がノズル８２ａから排液部分８８ｅに送られるようになっている。このことにより、ウエハＷの液処理が終了した後、ノズル支持アーム８２の内部配管８２ｂに不要な液体が残留してしまった場合でも、このノズル支持アーム８２に設けられたノズル８２ａを用いて次の液処理を行う際に、内部配管８２ｂに残留した液体を予めこの内部配管８２ｂから排出することができるようになる。とりわけ、ウエハＷに高温の薬液等をノズル８２ａから供給するときには、ノズル支持アーム８２の内部配管８２ｂに残留している液体は冷めている場合が多いため、この残留している冷めた液体を排液部分８８ｅにより予め内部配管８２ｂから排出することが望ましい。
【００８１】
また、液処理装置１０においては、アーム洗浄部８８はカップ外周筒５０の外側に設けられている。このことにより、カップ外周筒５０内の気流がアーム洗浄部８８により乱れてしまうことを防止することができる。
【００８２】
なお、液処理装置は、上記の態様に限定されるものではなく、様々の変更を加えることができる。例えば、処理室２０内に進出したノズル支持アーム８２のノズル８２ａおよび処理液供給管２８によりウエハＷの上面および下面の両方に処理液を供給する必要はなく、ノズル支持アーム８２のノズル８２ａによりウエハＷの上面のみに処理液を供給するようになっていてもよい。
【００８３】
また、１本のノズル支持アーム８２に複数のノズルを設けることができる。このような構成例について図１１および図１２を参照して説明する。なお、図１１および図１２に示す構成例において、図７〜図１０に示した構成例に含まれる構成要素と同一の部材については同一符号を付して（同一部材が２つある場合には一方にダッシュを付けた）重複説明は省略する。
【００８４】
図１１に示すように、本構成例では、１つのノズル支持アーム８２に２つのノズル８２ａ、８２ａ’が設けられている。ノズル８２ａ、８２ａ’の各々の吐出口である開口端８２ａ１、８２ａ１’は、ノズル支持アーム８２の軸線方向（長手方向）で同じ位置にあることが好ましい。そうすれば、アーム駆動機構８５に対してノズルの吐出口がウエハＷの中心の真上に位置する基準位置をティーチングする作業が、１本のノズル支持アーム８２に対して一回で済む。また、好ましくは、ノズル８２ａ、８２ａ’の吐出口は１８０度反対方向を向いている。
【００８５】
ノズル支持アーム８２の外部配管（外筒）８２ｃ内には、２つのノズル８２ａ、８２ａ’にそれぞれ連通する２つの内部配管８２ｂ、８２ｂ’が設けられている。この構成例では、回転機構８６Ａは、ステップモータまたはサーボモータ等のモータ８６ａと、モータ８６ａの回転軸に設けられた駆動プーリ８６ｂと、外部配管８２ｃに設けられた従動プーリ８６ｃと、プーリ８６ｂ，８６ｃ間に巻きかけられたタイミングベルト８６ｄから構成されている。回転機構８６Ａを動作させることにより、２つのノズル８２ａ、８２ａ’のいずれか一方を、処理液の吐出に適した回転方向位置、具体的には当該ノズルの吐出口が真下を向くような回転方向位置に位置させることができる。なお、図８に示した回転機構８６と図１１に示した回転機構８６Ａとは相互に置換することが可能である。
【００８６】
また、外部配管８２ｃのノズル８２ａ，８２ａ’側の端部とは反対側の端部の外側において、２つの内部配管８２ｂ、８２ｂ’にそれぞれ連通する２つの渦巻き形状配管８３、８３’が設けられている。渦巻き形状配管８３、８３’には、表面処理流体供給管８２ｍ、８２ｍ’がそれぞれ接続されており、また表面処理流体供給管８２ｍ、８２ｍ’には互いに異なる表面処理流体を供給する表面処理流体供給部８９、８９’がそれぞれ接続されている。各表面処理流体供給管８２ｍ、８２ｍ’にはそれぞれ、図示しないフローメータ、流量調整弁等の流量制御手段が設けられている。
【００８７】
図１２に示すように、ノズル支持アーム８２の軸線方向から見ると、２つの渦巻き形状配管８３、８３’は二重渦巻きをなすように配置されている。渦巻き形状配管８３、８３’は可撓性材料からなるので、ノズル支持アーム８２がアーム駆動機構８５により処理室２０内に進出した場合には、２つの渦巻き形状配管８３、８３’の各々が円錐螺旋形状（先端が徐々に細くなるような螺旋形状）となる。また、回転機構８６Ａによりノズル支持アーム８２を軸線周りに回転させたときにおいても、その回転に合わせて渦巻き形状配管８３、８３’はスムーズに変形する。
【００８８】
このように、１つのノズル支持アーム８２に２つのノズル８２ａ，８２ａ’を設けることにより、ノズル支持アーム８２の本数を減らすことができるので、アーム待機部８０のスペースを削減することができ、ひいては液処理装置１０のフットプリントを削減することができる。１つのノズル支持アーム８２に設けるノズルの数は２つに限定されるものではなく、３つ以上であってもよい。この場合、ノズルの数に応じた数の内部配管および渦巻き形状配管が設けられる。３つ以上のノズルを１つのノズル支持アームに設ける場合も、各ノズルの吐出口である開口端は、ノズル支持アームの軸線方向（長手方向）で同じ位置にあることが好ましい。また、複数のノズルの吐出口は、円周をＮ分割、好ましくはＮ等分（Ｎはノズルの個数）した位置に設けることが好ましい。
【００８９】
図１１および図１２に示した２つのノズル８２ａ、８２ａ’を支持するノズル支持アーム８２を備えた液処理装置における液処理について説明する。なお、ノズル８２ａ、８２ａ’（以下、「第１のノズル８２ａ」、「第２のノズル８２ａ’」と称する。）、ノズル支持アーム８２およびその周辺部品が図１１および図１２に示すように構成されている点を除いて、液処理装置の構成は図１〜図１０に示されたものと同じである。
【００９０】
まずウエハＷを処理室２０内に搬入し、保持部２１によりウエハＷを保持する（図４を参照）。次いで、図１１に示すノズル支持アーム８２を、第１のノズル８２ａを下方に向けた状態で、この第１のノズル８２ａがウエハの中心の真上に位置するように、ノズル支持アーム８２を処理室２０内に進出させる。次にウエハを所定の回転数で回転させ、第１のノズル８２ａから第１の処理液例えば酸性の薬液をウエハに吐出してウエハＷに薬液洗浄処理を施す。その後、第１のノズル８２ａからの酸性の薬液の吐出を停止し、ノズル支持アーム８２を進退させることなく（長手方向に移動させることなく）ノズル支持アーム８２を回転させて第２のノズル８２ａ’を下方に向け、第２のノズル８２ａ’から第２の処理液例えばリンス液（ＤＩＷ（純水））をウエハに吐出してウエハにリンス処理を施す。その後、ノズル支持アーム８２を処理室２０から退出させる。次に、先に説明したのと同じ手順により、Ｎ２ガス供給用アーム８２ｒのノズル８２ａおよびＩＰＡ供給用アーム８２ｕのノズル８２ａを用いてウエハＷの乾燥処理を行う。乾燥処理の終了後、ウエハＷを処理室２０から搬出する。
【００９１】
なお、液処理装置に図１１に示す構成を有するノズル支持アームをさらに１つ追加して設け、この追加したノズル支持アームの第１のノズル（８２ａ）からアルカリ性の薬液を供給できるようにし、かつ、第２のノズル（８２ａ’）からリンス液を供給できるようにしてもよい。この場合、例えば、酸性の薬液による薬液洗浄処理およびその後のリンス処理の後、上記の追加したノズル支持アームを処理室２０内に進出させて（事前に処理室２０内で待機させておくことが好ましい）その第１のノズルからアルカリ性の薬液をウエハＷの中心に吐出することによりウエハＷに薬液洗浄処理を施し、その後、上記の追加したノズル支持アームを１８０度回転させてその第２のノズルからリンス液（ＤＩＷ）をウエハＷの中心に吐出することによりウエハにリンス処理を施してもよい。
【００９２】
なお、１つのノズル支持アームに複数のノズルを設ける構成は、これまでに説明してきたノズル支持アームがアームの軸線方向に進退する形式のものへの適用に限定されるものではなく、背景技術において図１４および図１５を参照して説明したようなノズル支持アームが旋回する形式のものにも適用することができる。すなわち、図１３に示すように、図１１に示した構成からアーム駆動機構８５を取り除き、アーム支持部８４を図１１中に概略的に示した回動機構９１により支持する。回動機構９１はノズル支持アーム８２を鉛直方向に延びる回動軸線９１ａ周りに回動（旋回）させる。図１３に示したノズル支持アーム８２および回動機構９１を、図１４および図１５に示す構成におけるアーム２４１およびアーム支持部２４２に代えて設けることができる。図１３において、符号９２で示す部材は基板保持部によりウエハＷを水平姿勢で保持してウエハＷを回転させるスピンチャック、符号９３で示す部材はウエハＷから飛散する処理液を受け止めるカップ、そして符号９４で示す部材は処理チャンバ内にダウンフローを形成するＦＦＵ（ファンフィルターユニット）であり、これらは概略的に示されている。図１３に示す構成例によれば、（ノズル支持アームがアームの軸線方向に進退する形式のものに限らず）ノズル支持アームが旋回する従来型の液処理装置においても、１つのノズル支持アームに支持されるノズルの数が増えてもノズル全体の上方投影面積が増大することはない。このため、ノズル支持アームの先端に複数設けられたノズルによりＦＦＵからのダウンフローが乱されることを抑制することができる。
【符号の説明】
【００９３】
２１、９２  基板保持部
８２ａ，８２ａ’  (複数の）ノズル
８２ａ１，８２ａ１’吐出口
８２  ノズル支持アーム
８６，８６Ａ  回転機構
【図１】
2013004623.tif 000003
【図２】
2013004623.tif 000004
【図３】
2013004623.tif 000005
【図４】
2013004623.tif 000006
【図５】
2013004623.tif 000007
【図６】
2013004623.tif 000008
【図７】
2013004623.tif 000009
【図８】
2013004623.tif 000010
【図９】
2013004623.tif 000011
【図１０】
2013004623.tif 000012
【図１１】
2013004623.tif 000013
【図１２】
2013004623.tif 000014
【図１３】
2013004623.tif 000015
【図１４】
2013004623.tif 000016
【図１５】
2013004623.tif 000017